(57)【要約】【課題】通常の撮影機能及び無線通信機能を有することに加え、ユーザが自らの姿を撮影することができる機能（セルフ撮影機能）を有する電子機器を提供する。【解決手段】撮影部１０と、外部との無線通信を行うための無線通信部２０と、を有する電子機器において、所定の外部信号が入力された場合に撮影部１０を作動させるＣＰＵ３１を備える。所定位置に配置した電子機器に、被撮影領域から音声信号や無線信号を入力すると、マイク２５やアンテナ２６を介して音声信号や無線信号の入力を受けたＣＰＵ３１は、撮影部１０を作動させて、セルフ撮影動作を行わしめる。【選択図】　　　　　　　図２
2004147031.tif 000002
【特許請求の範囲】
【請求項１】
撮影手段と、外部との無線通信を行うための通信手段と、を有する電子機器において、
該電子機器外部から所定の信号が入力された場合に前記撮影手段を作動させ、撮影動作を行わしめる制御手段を備えることを特徴とする電子機器。
【請求項２】
一の構成部に対して他の構成部を回動可能に接続する回動部と、
前記一の構成部に対して前記他の構成部が所定の角度をなした状態で前記回動部による回動を規制する回動規制手段と、
を備えることを特徴とする請求項１に記載の電子機器。
【請求項３】
前記所定の信号は、
音声信号であることを特徴とする請求項１又は２に記載の電子機器。
【請求項４】
特定の声紋を有する特定音声を記録する音声記録手段を備え、
前記音声信号は、
前記音声記録手段に記録された特定音声の音声信号であることを特徴とする請求項３に記載の電子機器。
【請求項５】
特定の言葉を記録する言葉記録手段を備え、
前記音声信号は、
前記言葉記録手段に記録された特定の言葉に係る音声信号であることを特徴とする請求項３に記載の電子機器。
【請求項６】
前記所定の信号は、
無線信号であることを特徴とする請求項１又は２に記載の電子機器。
【請求項７】
特定の電話番号を記録する番号記録手段を備え、
前記制御手段は、
前記番号記録手段に記録された特定の電話番号に対応する携帯型無線電話機からの着信があった場合に前記撮影手段を作動させ、撮影動作を行わしめることを特徴とする請求項６に記載の電子機器。
【発明の詳細な説明】
【０００１】
【発明の属する技術分野】
本発明は、電子機器に関し、特に、撮影手段による撮影機能と、通信手段による外部との無線通信機能と、を有する電子機器に関する。
【０００２】
【従来の技術】
現在、携帯型無線電話機や携帯情報端末等の携帯用電子機器が普及している。近年においては、かかる携帯用電子機器にデジタルカメラ等の撮影装置を搭載したものが提案され、実用化されている。
【０００３】
例えば、撮影手段であるレンズや光電変換素子と、撮影画像を表示する液晶画面と、を備えた携帯用電子機器が提案されている（特許文献１参照。）。ユーザは、この携帯用電子機器の液晶画面に表示される画像を視認しながらシャッタボタンを押すことによって撮影を行い、所望の画像を記録することができる。
【０００４】
【特許文献１】
特開２０００−２７００６９号公報（第１頁、第１図）
【０００５】
【発明が解決しようとする課題】
しかし、特許文献１に記載されているような撮影機能を備えた従来の携帯用電子機器においては、ユーザが液晶画面に表示される画像を視認しながらシャッタボタンを押すことによってのみ撮影が可能となっていたため、ユーザは、自らの姿を撮影することができなかった。
【０００６】
本発明の課題は、通常の撮影機能及び無線通信機能を有することに加え、ユーザが自らの姿を撮影することができる機能（セルフ撮影機能）を有する電子機器を提供することである。
【０００７】
【課題を解決するための手段】
以上の課題を解決するため、請求項１に記載の発明は、
撮影手段と、外部との無線通信を行うための通信手段と、を有する電子機器において、
該電子機器外部から所定の信号が入力された場合に前記撮影手段を作動させ、撮影動作を行わしめる制御手段を備えることを特徴とする。
【０００８】
請求項１記載の発明によれば、制御手段により、外部から所定の信号を入力することによって撮影手段を作動させることができる。従って、例えば、ユーザが、本発明に係る電子機器を所定位置に配置した後に被撮影領域に移動し、当該被撮影領域から所定の信号を発して電子機器に入力すると、制御手段が自動的に撮影手段を作動させ、撮影動作を行わしめる。この結果、ユーザは、他人の手を煩わせることなく自らの姿を撮影することができる。
【０００９】
請求項２に記載の発明は、請求項１に記載の電子機器において、
一の構成部に対して他の構成部を回動可能に接続する回動部と、
前記一の構成部に対して前記他の構成部が所定の角度をなした状態で前記回動部による回動を規制する回動規制手段と、
を備えることを特徴とする。
【００１０】
請求項２記載の発明によれば、一の構成部に対して他の構成部が所定の角度をなした状態で、回動部による回動を規制することができる。従って、一の構成部に対して他の構成部が所定の角度（例えば略９０°）をなした状態で回動部による回動を規制し、他の構成部を水平にして所定位置に載置することによって、一の構成部を所定の角度（例えば略９０°）で起立させた状態とすることができる。このため、一の構成部に撮影手段を設けた場合には、撮影手段を被写体に対して安定した状態で相対させることができ、撮影動作を安定させることができる。
【００１１】
請求項３に記載の発明は、請求項１又は２に記載の電子機器において、
前記所定の信号は、
音声信号であることを特徴とする。
【００１２】
請求項４に記載の発明は、請求項３に記載の電子機器において、
特定の声紋を有する特定音声を記録する音声記録手段を備え、
前記音声信号は、
前記音声記録手段に記録された特定音声の音声信号であることを特徴とする。
【００１３】
請求項５に記載の発明は、請求項３又は４に記載の電子機器において、
特定の言葉を記録する言葉記録手段を備え、
前記音声信号は、
前記言葉記録手段に記録された特定の言葉に係る音声信号であることを特徴とする。
【００１４】
請求項６に記載の発明は、請求項１又は２に記載の電子機器において、
前記所定の信号は、
無線信号であることを特徴とする。
【００１５】
請求項６に記載の発明によれば、無線信号を入力することによって撮影手段を作動させることができる。従って、例えば、ユーザが、本発明に係る電子機器を所定位置に配置した後に被撮影領域に移動し、当該被撮影領域から携帯型無線電話機等を使用して無線信号を電子機器に入力すると、制御手段が自動的に撮影手段を作動させ、撮影動作を行わしめる。この結果、ユーザは、他人の手を煩わせることなく自らの姿を撮影することができる。
【００１６】
請求項７に記載の発明は、請求項６に記載の電子機器において、
特定の電話番号を記録する番号記録手段を備え、
前記制御手段は、
前記番号記録手段に記録された特定の電話番号に対応する携帯型無線電話機からの着信があった場合に前記撮影手段を作動させ、撮影動作を行わしめることを特徴とする。
【００１７】
請求項７に記載の発明によれば、制御手段は、特定の携帯型無線電話機からの着信があった場合にのみ、撮影手段を作動させて撮影動作を行わしめるので、間違い電話や悪戯電話に起因する撮影手段の誤作動を防止することができる。
【００１８】
【発明の実施の形態】
以下、図を参照して本発明の実施の形態を詳細に説明する。
【００１９】
本実施の形態においては、本発明に係る電子機器の一例として、デジタルカメラ付携帯情報端末（以下、単に「携帯情報端末」という）を挙げて説明する。
【００２０】
まず、図１を用いて、本実施の形態に係る携帯情報端末の機械的構成を説明する。図１は、本実施の形態に係る携帯情報端末の外観斜視図である。本実施の形態に係る携帯情報端末は、図１に示すように、カメラ部１と、液晶部２と、カメラ部１と液晶部２の間に設けられたヒンジ部３と、を備えて構成されている。
【００２１】
カメラ部１は、レンズ１１、ストロボ１２、スピーカ１３等を備えている。また、カメラ部１は、その内部に、レンズ１１によって取得した画像を電気信号に変換する光電変換素子１４（図２参照）や、光電変換素子１４によって変換された電気信号をデジタル信号に変換するなど所定の画像処理を施す画像処理部１５（図２参照）等を備えている。
【００２２】
液晶部２は、液晶ディスプレイ２１、電源スイッチ２２、テンキー２３、シャッタボタン２４、マイク２５等を備えている。また、液晶部２は、その内部にＣＰＵ（Ｃｅｎｔｒａｌ　Ｐｒｏｃｅｓｓｉｎｇ　Ｕｎｉｔ）３１、ＲＯＭ（Ｒｅａｄ　Ｏｎｌｙ　Ｍｅｍｏｒｙ）３２、ＲＡＭ（Ｒａｎｄｏｍ　Ａｃｃｅｓｓ　Ｍｅｍｏｒｙ）３３（いずれも図２参照）等を備えている。
【００２３】
ヒンジ部３は、本発明における回動部であり、カメラ部１を液晶部２に対して回転軸３ａ回りに回動自在に接続するものである。また、ヒンジ部３は、回転軸３ａ回りにおいて、カメラ部１が液晶部２に対して閉じた状態、略９Ｏ度開いた状態、略１８０度開いた状態、の３つの状態で、姿勢を保持できるようにクリック構造を設けている。このクリック構造は、本発明における回動規制手段である。なお、図１は、カメラ部１が液晶部２に対して略９０°をなした状態でクリック構造によって姿勢保持された状態を示している。
【００２４】
次に、図２を用いて、本実施の形態に係る携帯情報端末の電気的構成を説明する。図２は、図１に示した携帯情報端末の電気的構成を説明するためのブロック図である。本実施の形態に係る携帯情報端末は、図２に示すように、撮影動作を行う撮影部１０、無線通信を行う無線通信部２０、機器全体を統合制御する制御部３０、ユーザが所定の入力操作を行うための入力部４０、電話番号や画像を表示するための表示部としての液晶ディスプレイ２１、を備えて構成される。なお、図２において、図１と対応する構成については図１と同一の符号を付している。
【００２５】
撮影部１０は、本発明における撮影手段であり、レンズ１１、ストロボ１２、光電変換素子１４、画像処理部１５、等から構成されている。光電変換素子１４は、レンズ１１により投影された画像を電気信号に変換するものであり、本実施の形態においてはＣＣＤを採用している。画像処理部１５は、出力された電気信号をＡ／Ｄ変換し、デジタル化された信号を更にガンマ変換、色空間変換、ＡＥ、ＡＷＢ等の画像処理を行うものである。また、ストロボ１２は、後述する制御部２０のＣＰＵ３１からの信号に応じて発光を行う。
【００２６】
無線通信部２０は、本発明における通信手段であり、スピーカ１３、マイク２５、アンテナ２６、信号処理部２７等から構成されている。
【００２７】
スピーカ１３は、アンテナ２６で受信され信号処理部２７で処理された外部からの無線信号を出力するための音声出力手段である。また、マイク２５は、ユーザの音声を入力するための音声入力手段として機能するものである。また、アンテナ２６は、外部からの無線信号を受信して信号処理部２７に伝送するためのものである。
【００２８】
信号処理部２７は、後述する制御部３０のＣＰＵ３１の制御下で、マイク２５から入力された信号に所定の変換処理を施すとともに、アンテナ２６で受信された外部からの無線信号に所定の変換処理を施すという機能を果たすものである。所定の変換処理としては、高周波信号−中間周波信号間における相互変換処理や、アナログ信号−デジタル信号間における相互変換処理等が挙げられる。
【００２９】
制御部３０は、ＣＰＵ３１、ＲＯＭ３２、ＲＡＭ３３等から構成されている。ＣＰＵ３１は、ＲＯＭ３２に格納された各種制御プログラムに基づいて、装置全体の統合制御を行うものである。
【００３０】
ＣＰＵ３１は、撮影部１０のストロボ１２や画像情報処理部１５に電気的に接続されており、所定のタイミングでストロボ１２を発光させたり、レンズ１１等を介して入力された画像情報等をＲＡＭ３３に記録したりすることができる。
【００３１】
また、ＣＰＵ３１は、無線通信部２０にも電気的に接続されており、アンテナ４１を介して外部から入力された画像情報、音声情報、テキスト情報等をＲＡＭ３３に記録することができる。
【００３２】
また、ＣＰＵ３１は、後述する入力部４０にも電気的に接続されており、入力部４０のテンキー２３やシャッタボタン２４の操作により入力された信号に基づいて、撮影部１０や無線通信部２０を駆動制御することができる。
【００３３】
また、ＣＰＵ３１は、液晶ディスプレイ２１にも電気的に接続されており、記録した画像やテキスト、撮影部１０からの入力画像、種々の条件設定のためのメニュー、等を液晶ディスプレイ２１に表示させることができる。
【００３４】
また、ＣＰＵ３１は、無線通信部２０のマイク２５に電気的に接続されている。そして、マイク２５から所定の音声信号が入力された場合に、撮影部１０を作動させ、撮影動作を行わしめる。すなわち、ＣＰＵ３１は、本発明における制御手段である。
【００３５】
制御部３０のＲＯＭ３２には、特定の声紋を有する音声（以下、「特定音声」という）が記録されている。ＣＰＵ３１は、ＲＯＭ３２に記録された特定音声の音声信号がマイク２５から入力された場合に、撮影部１０を作動させて、所定の撮影動作を行わしめる。ＲＯＭ３２は、本発明における音声記録手段である。
【００３６】
また、制御部３０のＲＯＭ３２には、特定の言葉が記録されている。ＣＰＵ３１は、ＲＯＭ３２に記録された特定の言葉に係る音声信号がマイク２５から入力された場合に、撮影部１０を作動させて、所定の撮影動作を行わしめる。ＲＯＭ３２は、本発明における言葉記録手段である。なお、本実施の形態においては、ＲＯＭ３２に記録される特定の言葉として、「チーズ」、「乾杯」、「さんはい」等、撮影動作に先駆けて発する単語や掛け声を採用している。
【００３７】
また、ＣＰＵ３１は、無線通信部２０のアンテナ２６に電気的に接続されている。そして、アンテナ２６を介して無線信号が入力された場合に、撮影部１０を作動させ、撮影動作を行わしめる。
【００３８】
制御部３０のＲＯＭ３２には、特定の電話番号が記録されている。ＣＰＵ３１は、ＲＯＭ３２に記録された特定の電話番号に対応するＰＨＳ電話機から発信された無線信号が、所定の中継基地局を介して無線通信部２０のアンテナ２６に送信された場合（すなわち、特定のＰＨＳ電話機からの着信があった場合）に、撮影部１０を作動させて、所定の撮影動作を行わしめる。ＲＯＭ３２は、本発明における番号記録手段である。
【００３９】
入力部４０は、電源スイッチ２２、テンキー２３、シャッタボタン２４等から構成されている。これら電源スイッチ２２、テンキー２３及びシャッタボタン２４を操作することにより、制御部３０のＣＰＵ３１に所定の入力信号を伝送して、装置を駆動することができる。
【００４０】
なお、本実施の形態に係る携帯情報端末の制御部３０のＣＰＵ３１は、入力部４０のテンキー２３で所定の入力操作を行うことにより、電話の送受信が可能な状態である「通信モード」と、撮影可能な状態である「撮影モード」と、の２つの状態を自在に切り替えることができる。
【００４１】
通信モードにおいては、本実施の形態に係る携帯情報端末をＰＨＳ電話機として使用することが可能となる。すなわち、本体のテンキー２３からの電話番号入力や、液晶ディスプレイ２１への入力番号表示、電話帳表示等が可能であり、通話はカメラ部１に備えたスピーカ１３と、液晶部２に備えたマイク２５と、を用いて行う。
【００４２】
撮影モードにおいては、本実施の形態に係る携帯情報端末をデジタルカメラとして使用することが可能となる。すなわち、カメラ部１に設けたレンズ１１を介して結像した画像を、光電変換素子１４によって電気信号に変え、必要に応じて画像処理部１５で画像の処理を加えた上で、制御部３０のＲＡＭ３３に記録することができる。
【００４３】
次に、本実施の形態に係る携帯情報端末の通信モードにおける音声データの送受信動作について説明する。
【００４４】
通信モードにある携帯情報端末のマイク２５から音声信号が入力されると、制御部３０のＣＰＵ３１は、信号処理部２７を制御することによって、その音声信号に所定の変換処理を施す。そして、所定の変換処理が施された音声信号を、アンテナ２６から外部に送信する（送信動作）。
【００４５】
また、通信モードにある携帯情報端末の制御部３０のＣＰＵ３１は、アンテナ２６で受信した信号が音声信号である場合には、信号処理部２７を制御することによって、受信した音声信号に所定の変換処理を施す。そして、所定の変換処理が施された音声信号を、スピーカ１３により音声として出力する（受信動作）。
【００４６】
続いて、本実施の形態に係る携帯情報端末を使用して、ユーザが自らの姿を撮影する「セルフ撮影」を行う際の手順について、図３を用いて説明する。図３は、携帯情報端末のセルフ撮影の態様を説明するための模式図である。
【００４７】
なお、セルフ撮影を行う際には、入力部４０のテンキー２３を操作することによって携帯情報端末を撮影モードに移行させ、さらにテンキー２３を操作して撮影モード内の「セルフ撮影機能」を起動させる。セルフ撮影機能を起動させると、制御部３０のＣＰＵ３１の制御により、マイク２５の感度が高められるとともに、特定の電話番号を有するＰＨＳ電話機からの着信が許容されることとなる。
【００４８】
まず、ユーザは、カメラ部１が液晶部２に対して略９０°をなした状態で固定された携帯情報端末（図１参照）を、液晶部２を下にした状態で、所定の撮影台１００の上に載置する（図３（ａ）参照）。次いで、被写体となるユーザは、自らの姿を撮影するために所定の被撮影領域Ａに移動し、撮影の準備を整える。
【００４９】
続いて、ユーザは、図３（ａ）に示すように、携帯情報端末の制御部３０のＲＯＭ３２に記録されている特定の言葉（例えば、「乾杯」）を発音する。ユーザが発音した「乾杯」という言葉に係る音声信号は、携帯情報端末のマイク２５から、制御部３０のＣＰＵ３１に入力される。そして、かかる音声信号の入力を受けたＣＰＵ３１は、撮影部１０を作動させて、セルフ撮影動作を行わしめる。
【００５０】
また、ユーザの声が、携帯情報端末の制御部３０のＲＯＭ３２に記録された特定の声紋を有する場合には、ＣＰＵ３１は、ユーザの発音する言葉にかかわらず、ユーザの発声に係る音声信号の入力を受けて撮影部１０を作動させ、セルフ撮影動作を行わしめる。
【００５１】
一方、ユーザが所有するＰＨＳ電話機２００の電話番号が、携帯情報端末の制御部３０のＲＯＭ３２に記録されている場合においては、ＣＰＵ３１は、ユーザが所有するＰＨＳ電話機２００からの着信を受けて、セルフ撮影動作を行わしめる。
【００５２】
すなわち、ユーザが、図３（ｂ）に示すように、所有するＰＨＳ電話機２００に携帯情報端末の電話番号を入力して発信操作を行うと、ユーザから発信され中継基地局３００を介して携帯情報端末のアンテナ２６に送信された無線信号は、制御部３０のＣＰＵ３１に入力される。そして、かかる無線信号の入力を受けたＣＰＵ３１は、撮影部１０を作動させて、セルフ撮影動作を行わしめる。
【００５３】
本実施の形態に係る携帯情報端末においては、制御手段であるＣＰＵ３１により、外部からの音声信号が入力された場合に撮影部１０を作動させることができる。従って、ユーザが、携帯情報端末を所定位置に配置した後に被撮影領域Ａに移動し、その被撮影領域Ａから音声信号を発してマイク２５に入力すると、ＣＰＵ３１が自動的に撮影部１０を作動させ、撮影動作を行わしめる。この結果、ユーザは、他人の手を煩わせることなく自らの姿を撮影することができる。
【００５４】
また、本実施の形態に係る携帯情報端末においては、一の構成部であるカメラ部１に対して他の構成部である液晶部２を回動可能に接続する回動部３と、カメラ部１に対して液晶部２が所定の角度をなした状態で回動部３による回動を規制するクリック構造と、を備えている。
【００５５】
このため、カメラ部１に対して液晶部２が所定の角度（例えば略９０°）をなした状態で回動部３による回動を規制し、液晶部２を水平にして所定の撮影台１００に載置することによって、カメラ部１を所定の角度（例えば略９０°）で起立させた状態とすることができる（図３参照）。この結果、カメラ部１に設けられた撮影部１０のレンズを、被写体に対して安定した状態で相対させることができ、撮影動作を安定させることができる。
【００５６】
また、本実施の形態に係る携帯情報端末においては、制御部３０のＲＯＭ３２に特定の電話番号が記録されており、制御部３０のＣＰＵ３１は、ＲＯＭ３２に記録された特定の電話番号に対応するＰＨＳ電話機からの着信があった場合にのみ撮影部１０を作動させるので、間違い電話や悪戯電話に起因する撮影部１０の誤作動を防止することができる。
【００５７】
なお、以上の実施の形態に係る携帯情報端末では、特定のＰＨＳ電話機からの着信によってセルフ撮影動作を行わしめることとしたが、特定の携帯電話機からの着信によってセルフ撮影動作を行わしめることもできる。また、アマチュア無線方式やパーソナル無線方式における無線信号を入力してセルフ撮影動作を行わしめることとしてもよい。
【００５８】
また、以上の実施の形態に係る携帯情報端末では、特定のＰＨＳ電話機からの着信があった場合にセルフ撮影動作を行わしめることとしたが、特定のＰＨＳ電話機から所定の回数だけ着信コールがあった場合にセルフ撮影動作を行わしめることとしてもよい。
【００５９】
また、以上の実施の形態に係る携帯情報端末では、制御部３０のＲＯＭ３２に記録する特定の言葉として、「チーズ」、「乾杯」、「さんはい」等の単語や掛け声を採用しているが、これらに限られるものではなく、複数の単語を組み合わせた連語を採用することもできる。
【００６０】
また、以上の実施の形態においては、音声記録手段、言葉記録手段及び番号記録手段としてＲＯＭ３２を採用しているが、ＲＯＭ３２に代えて、情報を電気的に書換え可能なフラッシュメモリを採用することもできる。また、ＲＯＭ３２とフラッシュメモリを併用することもできる。
【００６１】
また、以上の実施の形態に係る携帯情報端末のカメラ部１にファインダを設け、通常の撮影動作を行う際に、撮影者であるユーザの画像情報をそのファインダで取り込み、液晶ディスプレイ２１に別窓表示してもよい。
【００６２】
また、以上の実施の形態に係る携帯情報端末においては、クリック構造により、カメラ部１に対して液晶部２が所定の角度（例えば略９０°）をなした状態で回動部３による回動を規制することとしたが、所定の角度前後のある角度範囲において、任意の位置で固定できるようにしてもよい。
【００６３】
また、本発明に係る電子機器の他の例として、デジタルカメラ付携帯電話機やデジタルカメラ付ＰＨＳ電話機等の撮影機能を備えた携帯型無線電話機を採用することができる。すなわち、かかる撮影機能を備えた携帯型無線電話機に前記実施の形態におけるＣＰＵ３１と同様の制御手段を備えることにより、前記実施の形態と同様の作用効果を奏することができる。
【００６４】
【発明の効果】
請求項１記載の発明によれば、制御手段により、外部から所定の信号を入力することによって撮影手段を作動させることができる。従って、例えば、ユーザが、本発明に係る電子機器を所定位置に配置した後に被撮影領域に移動し、当該被撮影領域から所定の信号を発して電子機器に入力すると、制御手段が自動的に撮影手段を作動させ、撮影動作を行わしめる。この結果、ユーザは、他人の手を煩わせることなく自らの姿を撮影することができる。
【００６５】
請求項２記載の発明によれば、一の構成部に対して他の構成部が所定の角度をなした状態で、回動部による回動を規制することができる。従って、一の構成部に対して他の構成部が所定の角度をなした状態で回動部による回動を規制し、他の構成部を水平にして所定位置に載置することによって、一の構成部を所定の角度で起立させた状態とすることができる。このため、一の構成部に撮影手段を設けた場合には、撮影手段を被写体に対して安定した状態で相対させることができ、撮影動作を安定させることができる。
【００６６】
請求項６に記載の発明によれば、無線信号を入力することによって撮影手段を作動させることができる。従って、例えば、ユーザが、本発明に係る電子機器を所定位置に配置した後に被撮影領域に移動し、当該被撮影領域から携帯型無線電話機等を使用して無線信号を電子機器に入力すると、制御手段が自動的に撮影手段を作動させ、撮影動作を行わしめる。この結果、ユーザは、他人の手を煩わせることなく自らの姿を撮影することができる。
【００６７】
請求項７に記載の発明によれば、制御手段は、特定の携帯型無線電話機からの着信があった場合にのみ、撮影手段を作動させて撮影動作を行わしめるので、間違い電話や悪戯電話に起因する撮影手段の誤作動を防止することができる。
【図面の簡単な説明】
【図１】本発明の実施の形態に係る携帯情報端末の外観斜視図である。
【図２】図１に示した携帯情報端末の電気的構成を説明するためのブロック図である。
【図３】図１に示した携帯情報端末を用いたセルフ撮影の態様を説明するための模式図であり、（ａ）は音声信号によってセルフ撮影を実施した状態を、（ｂ）はＰＨＳ電話機からの無線信号によってセルフ撮影を実施した状態を、各々示すものである。
【符号の説明】
１　　　カメラ部（一の構成部）
２　　　液晶部（他の構成部）
３　　　回動部
１０　　　撮影部（撮影手段）
２０　　　無線通信部（通信手段）
３１　　　ＣＰＵ（制御手段）
３２　　　ＲＯＭ（音声記録手段、言葉記録手段、番号記録手段）
【図１】
2004147031.tif 000003
【図２】
2004147031.tif 000004
【図３】
2004147031.tif 000005